【手続補正書】
【提出日】平成17年8月29日(2005.8.29)
【手続補正１】
【補正対象書類名】特許請求の範囲
【補正対象項目名】全文
【補正方法】変更
【補正の内容】
【特許請求の範囲】
【請求項１】
ガロッシュで履物を包み込む機械（１）において、履物をその上に置くところのプラットフォーム（２０）と、履物を包み込むべきガロッシュを形成するために使用されるフィルム（２１）が巻かれたフィルムスプールが内部に配置されるところのスプールリセス部２と、スプールから解放されたフィルム（２１）を伸延した形態に保ち、且つ、非制御状態に解放されるのを防止するための引き延ばし装置（１０）であって、互いに対向するように配置された少なくとも２つの枢軸回転する円筒体（１１）からなり、上記フィルム（２１）の動きによって機械的に動く引き延ばし装置（１０）と、切断用のモータ（８）と１つ以上のカッター（９）とから成る切断ユニット（７）であって、該１つ以上のカッターが上記モータ（８）によって駆動され、該カッター（９）の枢軸回転動作によってフィルム（２１）を切断するようになされた切断ユニット（７）と、２つの枢軸（６）の間にて伸延されて、水平面上で互いに対向するように配置され、且つ、駆動モータ（４）によって駆動され、フィルム（２１）を動かしてスプールから解放されるのを可能にするゴムベルトにして、上記２つの軸（６）の円形の回転を線形動作に変換するようになされ、重ね合わせた関係に配置された２つのパレット（５）を構成するゴムベルトからなる駆動装置（３）と、送風機装置（１２）にして、その一端が周囲環境に対して開放されており、その他端が機械（１）の内部空間に対して開放されており、モータ（１３）を含み、周囲の空気を吸引するようになされた送風機装置（１２）と、該送風機装置（１２）によって吹き出された冷風をヒータ（１６）によって加熱するための空気加熱装置（１５）と、を備え、
前記フィルム（２１）はプラットフォーム（２０）上に直接配置されるようになされており、
さらに、前記空気ヒータ装置（１５）内で加熱された空気を、通路（１９）を介して、前記プラットフォーム（２０）上に提供されたフィルム（２１）に向けて吹き出されるように導くための空気圧縮装置（１８）を備える、ガロッシュで履物を包み込む機械。
【請求項２】
前記引き延ばし装置（１０）が、互いの間に所定の距離が提供されるよう底面上に並べて配置された前記円筒体（１１）を３つ有しており、さらに２つの円筒体を、前もって配置された３つの円筒体の間に当てはめるような仕方にて配置することにより、これらの円筒体（１１）に配置されたフィルム（２１）が更に伸延されるようになされ、フィルムの変位が防止されるようにしたことを特徴とする、請求項１に記載のガロッシュで履物を包み込む機械（１）。
【請求項３】
前記引き延ばし装置（１０）が、フィルム（２１）が前記円筒体（１１）から逃げ出るのを防止するのに十分な高さを有する障壁にして、円筒体を取り巻き、フィルムが円筒体から滑り出るのを防止し得るように円筒体（１１）の周りに形成されている障壁を備えることを特徴とする、請求項２に記載のガロッシュで履物を包み込む機械（１）。
【請求項４】
前記切断ユニット（７）が、切断用のモータ（８）と、該モータ（８）によって駆動される一つまたはそれ以上のカッター（９）にして、挾持されたフィルム（２１）に対し対向状態に配置され、その枢軸回転動作によりフィルム（２１）を押しつけるようにして切断するカッター（９）とからなることを特徴とする、請求項１に記載のガロッシュで履物を包み込む機械（１）。
【請求項５】
前記切断ユニット（７）の前記カッター（９）が、フィルム（２１）の上方に配置され且つ、垂直面内で動くようにモータによって作動されたとき、フィルムを切断するようになされていることを特徴とする、請求項１に記載のガロッシュで履物を包み込む機械（１）。
【請求項６】
前記切断ユニット（７）の前記カッター（９）が、フィルム（２１）の幅に少なくとも等しい長さを有することを特徴とする、請求項４または５に記載のガロッシュで履物を包み込む機械。
【請求項７】
前記切断ユニット（７）の前記カッター（９）が、切断したフィルム（２１）の長さを一定に保つことを可能にすることを特徴とする、請求項６に記載のガロッシュで履物を包み込む機械。
【請求項８】
前記切断ユニット（７）の前記カッター（９）が、切断したフィルム（２１）の長さを履物の長さに従って変化させることを可能にすることを特徴とする、請求項６に記載のガロッシュで履物を包み込む機械。
【請求項９】
前記駆動装置（３）の上側パレット（５）にて軸（６）が反時計方向に回転し且つ下側パレット（５）にて軸（６）が時計方向に回転する際、２つのパレット（５）の間に配置されたフィルム（２１）が前方に動くようになされていることを特徴とする、請求項１に記載のガロッシュで履物を包み込む機械（１）。
【請求項１０】
前記下側パレット（５）が、前記上側パレット（５）に対向する位置に配置され且つ上側パレット（５）よりも長さが長くされており、これによって、切断ユニット（７）にて切断され且つ自由のままにされた、スプールにおけるフィルム端部が滑り出るのを防止されるようになされていることを特徴とする、請求項９に記載のガロッシュで履物を包み込む機械。
【請求項１１】
前記２つのパレット（５）を構成する前記２つのゴムベルトの間に、少なくとも１つのフィルム（２１）が通ることができる空隙が形成されるようにしたことを特徴とする、請求項９または１０に記載のガロッシュで履物を包み込む機械。
【請求項１２】
両側部にてフィルム（２１）を保持する電磁締結具にして、パレット（５）に隣接して配置された案内レール上を移動する電磁締結具を備えることを特徴とする請求項９ないし１１のいずれかに記載のガロッシュで履物を包み込む機械。
【請求項１３】
前記送風機装置（１２）の前記モータ（１３）が少なくとも１つ設けられていることを特徴とする、請求項１に記載のガロッシュで履物を包み込む機械（１）。
【請求項１４】
前記送風機装置（１２）の前記モータ（１３）が少なくとも１つ設けられており、該少なくとも１つのモータ（１３）の一端が周囲空気に対して開放されており、他端が空気通路（１４）に対して開放されていることを特徴とする、請求項１３に記載のガロッシュで履物を包み込む機械（１）。
【請求項１５】
前記送風機装置（１２）の一端が周囲空気に対して開放されており、その他端が空気加熱装置（１５）に対して開放されていることを特徴とする、請求項１３に記載のガロッシュで履物を包み込む機械（１）。
【請求項１６】
前記空気加熱装置（１５）が、吹き出された空気を同一の温度範囲内に保つ少なくとも１つの温度コントローラを有することを特徴とする、請求項１に記載のガロッシュで履物を包み込む機械（１）。
【請求項１７】
前記空気加熱装置（１５）が、温度コントロ−ラ（１７）として使用される恒温装置を備えることを特徴とする、請求項１６に記載のガロッシュで履物を包み込む機械。
【請求項１８】
前記空気加熱装置（１５）が、温度コントローラ（１７）として使用される温度センサを備えることを特徴とする、請求項１６に記載のガロッシュで履物を包み込む機械。
【請求項１９】
前記空気圧縮装置（１８）が、履物のソールがその上に置かれるところの前記プラットフォーム（２０）の真下に配置されることを特徴とする、請求項１に記載のガロッシュで履物を包み込む機械（１）。
【請求項２０】
前記空気圧縮装置（１８）が、空気通路（１４）を通じて前記空気加熱装置（１５）に接続されていることを特徴とする、請求項１９に記載のガロッシュで履物を包み込む機械（１）。
【請求項２１】
前記空気圧縮装置（１８）が、前記空気加熱装置（１５）に直結されていることを特徴とする、請求項１９に記載のガロッシュで履物を包み込む機械（１）。
【請求項２２】
前記空気圧縮機装置（１８）と前記プラットフォーム（２０）との間に通路（１９）が配置されていることを特徴とする、請求項１９に記載のガロッシュで履物を包み込む機械（１）。
【請求項２３】
前記通路（１９）が矩形の断面を有することを特徴とする、請求項２２に記載のガロッシュで履物を包み込む機械。
【請求項２４】
前記通路（１９）が曲線状断面を有することを特徴とする、請求項２２に記載のガロッシュで履物を包み込む機械。
【請求項２５】
回収ボックスにして、その下方に色々な容量のヒータ（１６）が設けられるところの回収ボックスを備え、ガロッシュが、使用された後、該リサイクルポックス内に廃棄され且つ収集されるようにしたことを特徴とする、請求項１に記載のガロッシュで履物を包み込む機械（１）。
【請求項２６】
ユーザが把持するためのハンドル（２４）が前記プラットフォーム（２０）に設けられることを特徴とする、請求項１に記載のガロッシュで履物を包み込む機械（１）。
【請求項２７】
履物が置かれるところの前記プラットフォーム（２０）が１つ以上備えられることを特徴とする、請求項１に記載のガロッシュで履物を包み込む機械（１）。
【請求項２８】
ガロッシュで履物を包み込む方法において、プラットフォーム（２０）上にフィルム（２１）を直接配置し、プラットフォーム（２０）上に履物を置くことにより、前記プラットフォーム（２０）を圧力の付与方向に下降させてその下方に配置されたスイッチを作動させ、それによって機械（１）を作動せしめ、これと同時に送風機装置（１２）に設けられたモータが作動を開始せしめられて周囲の空気を吸引し、該空気を機械（１）内の空気通路（１４）に搬送し、空気通路（１４）を通った空気は空気ヒータ装置（１５）に到達し、該ヒータ（１６）が作動されたとき、空気はヒータ（１６）によって加熱され、且つ、そのエネルギを空気分子に移すようにし、次に、所定の流量及び温度値を有する空気が空気通路（１４）に沿って進んで空気圧縮装置（１８）に到達し、空気が通路（１９）を通り、プラットフォームに配置されたフィルム（２１）に向けて吹き出され、これにより、所定の流量及び温度値に曝されたときに収縮するという特徴を有するフィルム（２１）が、履物のソール及びサイドバンプの周りに巻かれるような仕方にてその長さ及び幅寸法を減少させることにより、収縮するようにしたことを特徴とする、ガロッシュで履物を包み込む方法。
【請求項２９】
ユーザがその足をプラットフォーム（２０）から引っ込めた瞬間に、別の履物をガロッシュにて包むことを可能にするために駆動装置（３）が作動され、駆動装置（３）に配置された複数の軸（６）及び複数のパレット（５）が作動を開始し、パレット（５）間に配置されたフィルム（２１）をプラットフォーム（２０）まで導き、所定の長さを有するフィルム（２１）がプラットフォーム（２０）の上に達したときに駆動装置（３）が停止せしめられ、切断用のモータ（８）がカッター（９）を作動させて前記フィルム（２１）を特定の長さにて切断し、この特定の長さのフィルム（２１）がプラットフォーム（２０）に配置されて、プラットフォームに置かれた履物を包み込む用意ができるようにしたことを特徴とする、請求項２８に記載のガロッシュで履物を包み込む方法。
【請求項３０】
足が機械（１）のプラットフォーム（２０）を踏んだとき、空気圧縮リザーバ（１８）内に収集された適宜な温度の熱風が、フィルム（２１）を靴のソール及びサイドバンプの周りを包み込むようにして収縮させるような最適な流量にて送風機モータ（１３）により均一に吹き出されることを特徴とする、請求項２８または２９に記載のガロッシュで履物を包み込む方法。
【請求項３１】
空気を吹き出す前記空気通路（１４）が、その内部に設けられた前記ヒータ（１６）によって、前記モータ（１３）により最適な流量にて吹き出される空気の温度を適宜な温度にまで上昇させ、その空気を前記空気圧縮装置へと搬送するようにしたことを特徴とする、請求項２８ないし３０のいずれかに記載のガロッシュで履物を包み込む方法。
【請求項３２】
前記空気圧縮装置が、前記空気通路からの暖かい空気を貯蔵し、フィルム（２１）が履物のソールを包み込み且つ収縮するのに十分均一な熱風を、フィルム（２１）上に分配するようになされていることを特徴とする、請求項２８ないし３１のいずれかに記載のガロッシュで履物を包み込む方法。
【請求項３３】
フィルムスプールに巻かれたフィルム（２１）の、自動的に決定された寸法分を、前記パレット（５）が前記プラットフォーム（２０）に向けて駆動し、それによって機械の連続的な作動を可能にし、履物のソール及びサイドバンプに巻かれたフィルム（２１）が、該フィルム（２１）に設けられた有孔帯状部分を引き裂くことにより何ら手で接触することなく足から容易に除去されるようにしたことを特徴とする、請求項２８ないし３２のいずれかに記載のガロッシュで履物を包み込む方法。